(57)【特許請求の範囲】
【請求項１】
配線基板であって、前記配線基板は発電部が実装されるものであり、
前記配線基板は、ランド部と、配線部とを備え、
前記配線部の幅は、前記ランド部の幅より小さく、
前記配線基板は帯状基板であり、
前記配線部は、前記配線基板の延伸方向に沿って帯状に延びている、配線基板。
【請求項２】
前記ランド部は、前記ランド部上に前記発電部が実装される形状を有し、かつ、前記配線基板の延伸方向に沿った長さを有し、
前記配線部は、前記配線基板の延伸方向に沿った長さを有し、
前記配線部の前記長さは、前記ランド部の前記長さより大きい、請求項１に記載の配線基板。
【請求項３】
前記ランド部および前記配線部は、
金属で形成された補強板と、
前記補強板上に設けられたフレキシブルプリント基板とを含む、請求項１または請求項２に記載の配線基板。
【請求項４】
前記ランド部の幅は、前記配線部の幅の２００％以上であり、かつ１０００％以下である、請求項１から請求項３のいずれか１項に記載の配線基板。
【請求項５】
前記ランド部は、第１領域と、第２領域とを有し、
前記第１領域は、第１の幅を有し、
前記第２領域は、前記ランド部の長さ方向の少なくとも一端に位置し、かつ、前記第１領域と接続されており、かつ、第２の幅を有し、
前記第２の幅は、前記第１の幅より小さく、かつ、前記配線部の幅よりも大きい、請求項１から請求項４のいずれか１項に記載の配線基板。
【請求項６】
前記ランド部は、第１領域と、第２領域とを有し、
前記第１領域は、第１の幅を有し、
前記第２領域は、前記ランド部の長さ方向の両端に位置し、かつ、前記第１領域と接続されており、かつ、第２の幅を有し、
前記第２の幅は、前記第１の幅より小さく、かつ、前記配線部の幅よりも大きい、請求項１から請求項５のいずれか１項に記載の配線基板。
【請求項７】
前記第２の幅は、前記第１領域から前記配線部に近づくに従い小さくなる、請求項５または請求項６に記載の配線基板。
【請求項８】
前記第２領域は、前記配線基板の延伸方向に沿った長さを有し、
前記第２の幅と前記第２領域の前記長さとの関係は以下の式を満たす、請求項５から請求項７のいずれか１項に記載の配線基板。
０＜（Ｌｂ１２／Ｗｂ２）≦１０
但し、Ｗｂ２は前記第２の幅であり、Ｌｂ１２は前記第２領域の前記長さである。
【請求項９】
前記第１領域の面積は、前記第２領域の面積より大きい、請求項５から請求項８のいずれか１項に記載の配線基板。
【請求項１０】
前記第１領域の面積は、前記第２領域の面積の２００％以上であり、かつ１０００％以下である、請求項９に記載の配線基板。
【請求項１１】
前記配線基板の上方からの平面視において、前記ランド部は、前記発電部の中央部が前記第１領域に位置するように前記発電部が配置される形状を有する、請求項５から請求項１０のいずれか１項に記載の配線基板。
【請求項１２】
前記ランド部は、実装領域を有し、
前記実装領域は、前記発電部が前記ランド部に実装されたときに前記発電部と接触するように構成されており、
前記実装領域の８０％以上が前記第１領域内に位置する、請求項５から請求項１１のいずれか１項に記載の配線基板。
【請求項１３】
前記配線基板の上方からの平面視において、前記配線基板の延伸方向における前記発電部から前記配線部までの距離は、前記ランド部の幅方向における前記発電部から前記ランド部の端部までの距離より大きい、請求項１から請求項１２のいずれか１項に記載の配線基板。
【請求項１４】
前記ランド部の前記延伸方向における長さは、前記ランド部の幅より大きい、請求項２に記載の配線基板。
【請求項１５】
前記配線部の厚みは、前記配線部の前記幅の１％以上であり、かつ５０％以下である、請求項１から請求項１４のいずれか１項に記載の配線基板。
【請求項１６】
前記ランド部および前記配線部の前記補強板は厚みを有し、
金属で形成された補強板を含み、
前記補強板の前記厚みは、前記配線基板の厚みの１０％以上であり、かつ９０％以下である、請求項３に記載の配線基板。
【請求項１７】
請求項１から請求項１６のいずれか１項に記載の配線基板を備えた太陽光発電装置。
【発明の詳細な説明】
【技術分野】
【０００１】
本発明は、配線基板および太陽光発電装置に関し、特に、発電に用いられる配線基板および当該配線基板を備える太陽光発電装置に関する。
【背景技術】
【０００２】
レンズ等を用いることによって太陽光を太陽電池素子に収束させ、当該太陽電池素子の発電効率を高める集光型の太陽光発電装置の開発が行われている。【０００３】
集光型の太陽光発電装置の一例として、たとえば、特開２０１３−８４８５５号公報（特許文献１）には、以下のような技術が開示されている。すなわち、集光型太陽電池モジュールは、複数個の太陽電池素子と、前記各太陽電池素子が一定の間隔を存して１列に載置された長尺状のレシーバ基板と、前記レシーバ基板が一定の間隔を存して複数本並行に載置されたモジュール基板とを備え、前記レシーバ基板は、長尺状のレシーバ基体と、前記レシーバ基体上に端部同士を対向させた状態で長手方向に沿って１列に配置された複数本の配線材とからなり、前記配線材の一方の端部にプラス電極パッド部が、他方の端部にマイナス電極パッド部がそれぞれ設けられ、前記プラス電極パッド部及び前記マイナス電極パッド部に前記太陽電池素子のプラス電極端子及びマイナス電極端子がそれぞれ接続されて太陽電池素子搭載部が構成されている。
【先行技術文献】
【特許文献】
【０００４】
【特許文献１】特開２０１３−８４８５５号公報
【発明の概要】
【発明が解決しようとする課題】
【０００５】
たとえば、特許文献１に記載の集光型太陽電池モジュールにおいて、太陽光がレンズによって太陽電池素子に収束されると、太陽電池素子は高温となる。太陽電池素子の熱は、当該太陽電池素子の実装されたレシーバ基板へ伝わるため、レシーバ基板が熱膨張する場合がある。【０００６】
そして、レシーバ基板が熱膨張により変形すると、太陽電池素子の位置がレンズの焦点から外れることにより、当該太陽電池素子の発電効率が低下してしまうことがある。【０００７】
この発明は、上述の課題を解決するためになされたもので、その目的は、熱の影響による発電効率の低下を抑制することが可能な配線基板および太陽光発電装置を提供することである。
【課題を解決するための手段】
【０００８】
（１）この発明のある局面に係る配線基板は、発電部が実装されるものであり、前記配線基板は、ランド部と、配線部とを備え、前記配線部の幅は、前記ランド部の幅より小さい。
【発明の効果】
【０００９】
本発明によれば、熱の影響による発電効率の低下を抑制することができる。
【図面の簡単な説明】
【００１０】
【図１】図１は、本発明の第１の実施の形態に係る太陽光発電装置の斜視図である。
【図２】図２は、本発明の第１の実施の形態に係る太陽光発電モジュールの斜視図である。
【図３】図３は、本発明の第１の実施の形態に係る太陽光発電モジュールの平面図である。
【図４】図４は、本発明の第１の実施の形態に係る太陽光発電モジュールから集光部を取り外した状態を示す平面図である。
【図５】図５は、本発明の第１の実施の形態に係る配線基板に発電部が実装された状態を示す斜視図である。
【図６】図６は、本発明の第１の実施の形態に係る太陽光発電モジュールの、図４におけるＶＩ−ＶＩ線に沿う断面を示す断面図である。
【図７】図７は、本発明の第１の実施の形態に係る太陽光発電モジュールにおける配線モジュールおよび発電部の、図４におけるＶＩＩ−ＶＩＩ線に沿う断面を示す断面図である。
【図８】図８は、本発明の第１の実施の形態に係る配線基板におけるＦＰＣの導電部のパターンを示す図である。
【図９】図９は、本発明の第１の実施の形態に係る配線基板を示す図である。
【図１０】図１０は、本発明の第１の実施の形態に係る配線基板におけるＦＰＣを示す図である。
【図１１】図１１は、本発明の第１の実施の形態に係る配線基板における補強板を示す図である。
【図１２】図１２は、本発明の第１の実施の形態に係る配線基板における配線モジュールを示す図である。
【図１３】図１３は、本発明の第１の実施の形態に係る配線基板の変形例を示す図である。
【図１４】図１４は、本発明の第１の実施の形態に係る配線基板の変形例を示す図である。
【図１５】図１５は、本発明の第１の実施の形態に係る配線基板の変形例を示す図である。
【図１６】図１６は、本発明の第１の実施の形態に係る配線基板の変形例を示す図である。
【図１７】図１７は、本発明の第１の実施の形態に係る配線基板におけるＦＰＣの変形例を示す図である。
【図１８】図１８は、本発明の第１の実施の形態に係る配線基板におけるＦＰＣの変形例を示す図である。
【図１９】図１９は、本発明の第１の実施の形態に係る配線基板におけるＦＰＣの変形例を示す図である。
【図２０】図２０は、本発明の第１の実施の形態に係る配線基板におけるＦＰＣの変形例を示す図である。
【図２１】図２１は、本発明の第２の実施の形態に係る配線基板に発電部が実装された状態を示す斜視図である。
【図２２】図２２は、本発明の第２の実施の形態に係る太陽光発電モジュールの、図４におけるＶＩ−ＶＩ線に相当する線に沿う断面を示す断面図である。
【図２３】図２３は、本発明の第２の実施の形態に係る太陽光発電モジュールにおける配線モジュールおよび発電部の、図４におけるＶＩＩ−ＶＩＩ線に相当する線に沿う断面を示す断面図である。
【図２４】図２４は、本発明の第２の実施の形態に係る配線基板を示す図である。
【発明を実施するための形態】
【００１１】
最初に、本発明の実施の形態の内容を列記して説明する。
【００１２】
（１）本発明の実施の形態に係る配線基板は、発電部が実装されるものであり、前記配線基板は、ランド部と、配線部とを備え、前記配線部の幅は、前記ランド部の幅より小さい。
【００１３】
このような構成により、ランド部より配線部の方が曲がりやすくなるため、配線基板が熱膨張した場合に、配線部が配線基板のたとえば延伸方向における膨張分を吸収するように曲がることで、ランド部の変形および位置ずれを防ぐことができる。これにより、たとえば、ランド部に発電部が実装され、かつ発電部の上方に当該発電部を焦点とするレンズが設けられている場合において、発電部の位置がレンズの焦点から外れることを防ぐことができる。したがって、熱の影響による発電効率の低下を抑制することができる。
【００１４】
（２）好ましくは、前記ランド部は、前記ランド部上に前記発電部が実装される形状を有し、かつ、前記配線基板の延伸方向に沿った長さを有し、前記配線部は、前記配線基板の延伸方向に沿った長さを有し、前記配線部の前記長さは、前記ランド部の前記長さより大きい。
【００１５】
このような構成により、ランド部より配線部の方がより曲がりやすくなるため、ランド部の変形および位置ずれをより確実に防ぐことができる。
【００１６】
（３）好ましくは、前記ランド部および前記配線部の各々は、金属で形成された補強板と、前記補強板上に設けられたフレキシブルプリント基板とを含む。
【００１７】
このような構成により、配線基板に柔軟性を持たせつつ、ある程度の硬さを与えることができる。これにより、たとえば、ランド部より配線部の方が曲がりやすい性質を維持しながら、配線基板を用いた発電装置の製造工程における当該配線基板の取り扱いを容易にすることができる。
【００１８】
（４）好ましくは、前記ランド部の幅は、前記配線部の幅の２００％以上であり、かつ１０００％以下である。
【００１９】
このような構成により、たとえば、ランド部の幅を基準として配線部の幅を小さくすることができるため、配線部にランド部より曲がりやすい性質を持たせることができる。また、配線部の強度が問題とならないように配線部の幅をある程度大きくすることができる。
【００２０】
（５）好ましくは、前記ランド部は、第１領域と、第２領域とを有し、前記第１領域は、第１の幅を有し、前記第２領域は、前記ランド部の長さ方向の少なくとも一端に位置し、かつ、前記第１領域と接続されており、かつ、前記第２の幅を有し、前記第２の幅は、前記第１の幅より小さく、かつ、前記配線部の幅より大きい。
【００２１】
このような構成により、たとえば、発電部から第１領域に伝わった熱を第２領域経由で配線部へ効率的に逃がすことができる。
【００２２】
（６）好ましくは、前記ランド部は、第１領域と、第２領域とを有し、前記第１領域は、第１の幅を有し、前記第２領域は、前記ランド部の長さ方向の両端に位置し、かつ、前記第１領域と接続されており、かつ、第２の幅を有し、前記第２の幅は、前記第１の幅より小さく、かつ、前記配線部の幅よりも大きい。
【００２３】
このような構成により、第１領域の熱を各第２領域に接続された両方の配線部へ逃がすことができる。
【００２４】
（７）より好ましくは、前記第２の幅は、前記第１領域から前記配線部に近づくに従い小さくなる。
【００２５】
このような構成により、第２領域の熱を配線部へ効率的に逃がすことができる。
【００２６】
（８）より好ましくは、前記第２領域は、前記配線基板の延伸方向に沿った長さを有し、前記第２の幅と前記第２領域の前記長さとの関係は以下の式を満たす。
０＜ＬＢ１２／Ｗｂ２≦１０
但し、Ｗｂ２は前記第２の幅であり、Ｌｂ１２は前記第２領域の前記長さである。
【００２７】
このような構成により、第２領域の熱を配線部へより効率的に逃がすことができる。
【００２８】
（９）より好ましくは、前記第１領域の面積は、前記第２領域の面積より大きい。
【００２９】
このような構成により、第１領域の熱に対する第２領域経由での配線部への放熱性能を高めることができる。
【００３０】
（１０）より好ましくは、前記第１領域の面積は、前記第２領域の面積の２００％以上であり、かつ１０００％以下である。
【００３１】
このような構成により、第１領域の熱に対する第２領域経由での配線部への放熱性能をさらに高めることができる。
【００３２】
（１１）より好ましくは、前記配線基板の上方からの平面視において、前記ランド部は、前記発電部の中央部が前記第１領域に位置するように前記発電部が配置される形状を有する。
【００３３】
このような構成により、配線部からある程度離れた位置に発電部を配置することができるため、配線部が曲がったことによる影響で発電部の位置がずれることをより確実に防ぐことができる。
【００３４】
（１２）より好ましくは、前記ランド部は、実装領域を有し、前記実装領域は、前記発電部が前記ランド部に実装されたときに前記発電部と接触するように構成されており、前記実装領域の８０％以上が前記第１領域内に位置する。
【００３５】
このような構成により、配線部が曲がったことによる影響で発電部の位置がずれることをさらに高い確度で防ぐことができる。
【００３６】
（１３）好ましくは、前記配線基板の上方からの平面視において、前記延伸方向における前記発電部から前記配線部までの距離は、前記ランド部の幅方向における前記発電部から前記ランド部の端部までの距離より大きい。
【００３７】
このような構成により、たとえば、発電部からランド部へ伝わった熱に対する配線部への放熱性能を高めることができる。
【００３８】
（１４）好ましくは、前記ランド部の前記延伸方向における長さは、前記ランド部の幅より大きい。
【００３９】
このような構成により、たとえば、発電部からランド部へ伝わった熱に対する配線部への放熱性能を高めることができる。
【００４０】
（１５）好ましくは、前記配線部の厚みは、前記配線部の前記幅の１％以上であり、かつ５０％以下である。
【００４１】
このように、配線部の幅より配線部の厚みを十分小さくすることにより、配線基板が載置された物体に配線部の熱を効率的に逃がすことができる。
【００４２】
（１６）より好ましくは、前記ランド部および前記配線部の前記補強版は厚みを有し、前記補強板の前記厚みは、前記配線基板の厚みの１０％以上であり、かつ９０％以下である。
【００４３】
このような構成により、ランド部より配線部の方が曲がりやすい性質を損なわない範囲において、適度な硬さを配線基板に与えることができる。
【００４４】
（１７）本発明の実施の形態に係る太陽光発電装置は、上記（１）から（１６）のいずれか１つに記載の配線基板を備えた太陽光発電装置である。
【００４５】
このような構成により、太陽光によって配線基板が熱膨張した場合であっても、発電部の位置がレンズの焦点から外れることを防ぐことができるため、太陽光発電装置の発電効率の低下を抑制することができる。
【００４６】
以下、本発明の実施の形態について図面を用いて説明する。なお、図中同一または相当部分には同一符号を付してその説明は繰り返さない。また、以下に記載する実施形態の少なくとも一部を任意に組み合わせてもよい。
【００４７】
＜第１の実施の形態＞
図１は、本発明の第１の実施の形態に係る太陽光発電装置の斜視図である。
【００４８】
図１を参照して、太陽光発電装置１０１は、太陽光発電パネル１２と、架台４０とを備える。太陽光発電パネル１２は、複数の太陽光発電モジュール１０と、太陽方向センサ１３と、フレーム部１４とを含む。架台４０は、土台４６と、支柱４８と、機能部９０と、図示しない位置可変部とを含む。太陽光発電装置１０１は、たとえば集光型太陽光発電装置である。
【００４９】
太陽光発電パネル１２は、たとえば５行５列の太陽光発電モジュール１０つまり２５個の太陽光発電モジュール１０を含んでいる。各太陽光発電モジュール１０は、フレーム部１４の上部に並んで取り付けられている。
【００５０】
太陽光発電モジュール１０は、太陽光を受けて発電し、発電した電力である直流電力を、図示しない配線を用いて、支柱４８の側面に取り付けられた機能部９０へ出力する。
【００５１】
支柱４８は、たとえば地面に設けられた土台４６に、地面に対して垂直に立てられている。
【００５２】
図示しない位置可変部は、モータを含み、機能部９０からの制御信号に基づいて、太陽光発電パネル１２における受光面ＦＬの方向、つまり矢印Ａｓで示す受光面ＦＬの法線方向を太陽に向けるように動作する。これにより、太陽光発電パネル１２における受光面ＦＬの向きが、日の出から日没までの間、太陽を追尾するように変化する。
【００５３】
太陽方向センサ１３は、太陽の方向を検知するために用いられ、検知結果を示すセンサ信号を機能部９０へ出力する。
【００５４】
機能部９０は、たとえば、筐体と、当該筐体に収納された各種ユニットとを含む。具体的には、たとえば、当該筐体には、各太陽光発電モジュール１０からの配線を接続する接続箱、太陽光発電モジュール１０から出力される直流電力を交流電力に変換するパワーコンディショナ、および太陽光発電パネル１２における受光面ＦＬの向きを制御するための制御ユニット等が収納されている。
【００５５】
図２は、本発明の第１の実施の形態に係る太陽光発電モジュールの斜視図である。図３は、本発明の第１の実施の形態に係る太陽光発電モジュールの平面図である。
【００５６】
図２および図３を参照して、太陽光発電モジュール１０は、壁部２７と、図示しない底部と、集光部２５とを含む。集光部２５は、複数のフレネルレンズ２６を含む。
【００５７】
集光部２５において、フレネルレンズ２６は、たとえば正方格子状に配置されている。具体的には、各フレネルレンズ２６は、たとえば互いに隣接するフレネルレンズ２６の中心同士の距離が同じＷ１となるように配置されている。フレネルレンズ２６のサイズは、たとえば５０ｍｍ×５０ｍｍである。
【００５８】
図４は、本発明の第１の実施の形態に係る太陽光発電モジュールから集光部を取り外した状態を示す平面図である。
【００５９】
図４を参照して、太陽光発電モジュール１０は、壁部２７と、配線モジュール４９と、複数の発電部３０と、２つのリード線３９とを含む。配線モジュール４９は、太陽光発電モジュール１０の底部であるベース部３８と、配線基板６９とを含む。
【００６０】
配線基板６９は、帯状基板３２Ａ，３２Ｂ，３２Ｃ，３２Ｄ，３２Ｅ，３２Ｆ，３２Ｇ，３２Ｈ，３２Ｉ，３２Ｊと、連結部３３Ｈ，３３Ｉ，３３Ｊ，３３Ｋ，３３Ｌ，３３Ｍ，３３Ｎ，３３Ｏ，３３Ｐとを含む。
【００６１】
連結部３３Ｈは、帯状基板３２Ａと帯状基板３２Ｂとを連結している。連結部３３Ｉは、帯状基板３２Ｂと帯状基板３２Ｃとを連結している。連結部３３Ｊは、帯状基板３２Ｃと帯状基板３２Ｄとを連結している。連結部３３Ｋは、帯状基板３２Ｄと帯状基板３２Ｅとを連結している。連結部３３Ｌは、帯状基板３２Ｅと、帯状基板３２Ｆとを連結している。連結部３３Ｍは、帯状基板３２Ｆと帯状基板３２Ｇとを連結している。連結部３３Ｎは、帯状基板３２Ｇと帯状基板３２Ｈとを連結している。連結部３３Ｏは、帯状基板３２Ｈと帯状基板３２Ｉとを連結している。連結部３３Ｐは、帯状基板３２Ｉと帯状基板３２Ｊとを連結している。
【００６２】
以下、帯状基板３２Ａ，３２Ｂ，３２Ｃ，３２Ｄ，３２Ｅ，３２Ｆ，３２Ｇ，３２Ｈ，３２Ｉ，３２Ｊの各々を帯状基板３２とも称する。また、連結部３３Ｈ，３３Ｉ，３３Ｊ，３３Ｋ，３３Ｌ，３３Ｍ，３３Ｎ，３３Ｏ，３３Ｐの各々を連結部３３とも称する。各帯状基板３２は互いに平行に配置されている。
【００６３】
なお、配線基板６９は、さらに多数または少数の帯状基板３２を含む構成であってもよい。たとえば、配線基板６９は、１個の帯状基板３２を含む構成であってもよい。
【００６４】
配線基板６９、具体的には、配線基板６９の帯状基板３２は長尺状である。配線基板６９の帯状基板３２は、延伸方向に沿った長さを有する。また、配線基板６９は、厚みを有する。そして、配線基板６９は、配線基板６９の長さおよび厚みと交差する方向に沿った幅を有する。
【００６５】
配線基板６９の２つの端部の各々には、リード線３９が接続されている。リード線３９は、ベース部３８に設けられた貫通孔を通り、たとえば図１に示す機能部９０における接続箱に接続される。ベース部３８の材料は、たとえば、熱伝導率が高くかつ比較的軽いアルミニウムまたは銅等である。
【００６６】
配線基板６９は、ベース部３８の上側の主表面すなわちベース部３８のフレネルレンズ２６側の主表面に載置され、かつ接着されている。
【００６７】
配線モジュール４９において、配線基板６９の帯状基板３２は、７個のランド部６０と、各ランド部の両側に接続された配線部６３とを含む。配線部６３は、たとえば、ランド部６０同士を接続している。ランド部６０の幅は、配線部６３の幅より大きい。
【００６８】
発電部３０は、ランド部６０の上側の主表面に実装されている。なお、配線基板６９における帯状基板３２は、さらに多数または少数のランド部６０および配線部６３を含む構成であってもよい。たとえば、帯状基板３２は、１個のランド部６０と１個の配線部６３とを含む構成であってもよい。
【００６９】
たとえば、帯状基板３２Ｅには、発電部３０として、発電部３０Ｐ１，３０Ｑ１，３０Ｒ１が実装されている。また、帯状基板３２Ｆには、発電部３０として、発電部３０Ｐ２，３０Ｑ２，３０Ｒ２が実装されている。
【００７０】
発電部３０Ｐ１および発電部３０Ｐ２は、帯状基板３２の延伸方向に対して垂直な方向に沿って並び、かつ隣り合って位置している。発電部３０Ｑ１および発電部３０Ｑ２は、帯状基板３２の延伸方向に対して垂直な方向に沿って並び、かつ隣り合って位置している。発電部３０Ｒ１および発電部３０Ｒ２は、帯状基板３２の延伸方向に対して垂直な方向に沿って並び、かつ隣り合って位置している。
【００７１】
帯状基板３２の延伸方向に対して垂直な方向に沿って並び、かつ隣り合う発電部３０の距離Ｗ２は、帯状基板３２において隣り合う発電部３０の距離Ｗ３と等しくなっている。具体的には、たとえば、発電部３０Ｐ１と発電部３０Ｐ２との距離Ｗ２は、発電部３０Ｐ２と発電部３０Ｑ２との距離Ｗ３と等しくなっている。
【００７２】
また、たとえば、距離Ｗ２および距離Ｗ３は、図３に示すフレネルレンズ２６の中心同士の距離Ｗ１と等しくなっている。
【００７３】
たとえば図３に示したフレネルレンズ２６は、１個の発電部３０に対して１個設けられている。各発電部３０は、対応のフレネルレンズ２６の光軸上に配置されている。
【００７４】
また、太陽光発電モジュール１０は、発電モジュール２９を含む。発電モジュール２９は、配線基板６９と、当該配線基板６９に実装された発電部３０とを含む。発電モジュール２９において、配線基板６９は、上述のように、ランド部６０と、配線部６３とを含む。
【００７５】
図５は、本発明の第１の実施の形態に係る配線基板に発電部が実装された状態を示す斜視図である。
【００７６】
図５を参照して、配線基板６９は、ＦＰＣ（フレキシブルプリント基板：Ｆｌｅｘｉｂｌｅ  Ｐｒｉｎｔｅｄ  Ｃｉｒｃｕｉｔｓ）７９と、補強板８９とを含む。ＦＰＣ７９は、導電部７７と、導電部７７を覆う絶縁部７８と含む。
【００７７】
配線基板６９のランド部６０には、発電部３０が実装されている。詳細には、ランド部６０において、ＦＰＣ７９には開口部６８が設けられている。開口部６８では、導電部７７の上側を絶縁部７８が覆っていないため、導電部７７が露出している。発電部３０は、開口部６８において導電部７７に電気的に接続されている。
【００７８】
補強板８９は、配線基板６９における帯状基板３２のベース部３８側の主表面に設けられており、帯状基板３２に若干の硬さを与え、太陽光発電モジュール１０の製造時における配線基板６９の取扱いを容易にする。補強板８９は、金属たとえばアルミニウムまたは銅等により形成されている。
【００７９】
図６は、本発明の第１の実施の形態に係る太陽光発電モジュールの、図４におけるＶＩ−ＶＩ線に沿う断面を示す断面図である。
【００８０】
図６を参照して、発電部３０は、ボールレンズ１７と、パッケージ１８と、発電素子１９とを含む。なお、発電部３０は、これらの構成要素のうち、発電素子１９以外の全部または一部を含まない構成であってもよい。
【００８１】
配線基板６９は、ベース部３８の上側の主表面に載置されている。補強板８９は、ベース部３８の上に設けられている。ＦＰＣ７９は、補強板８９の上に設けられている。詳細には、ＦＰＣ７９は、補強板８９を介してベース部３８の上に設けられている。
【００８２】
発電素子１９は、パッケージ１８に収納されている。発電素子１９は、パッケージ１８に収納された状態でＦＰＣ７９に実装されている。詳細には、図示しない発電素子１９の電極が、パッケージ１８の底部を貫通するように設けられたパッケージ電極２０を介して、ＦＰＣ７９の導電部７７と接続されている。発電素子１９のサイズは、たとえば３．２ｍｍ×３．２ｍｍである。
【００８３】
フレネルレンズ２６は、太陽光を対応のボールレンズ１７へ収束させる。ボールレンズ１７は、フレネルレンズ２６によって収束された太陽光を、発電素子１９へさらに収束させる。
【００８４】
発電素子１９は、フレネルレンズ２６およびボールレンズ１７によって収束された太陽光を受けて、受光量に応じた電力を発生する。
【００８５】
図７は、本発明の第１の実施の形態に係る太陽光発電モジュールにおける配線モジュールおよび発電部の、図４におけるＶＩＩ−ＶＩＩ線に沿う断面を示す断面図である。
【００８６】
図７では、たとえば図５において示さなかった接着層についても示している。具体的には、図７を参照して、発電部３０が配線モジュール４９、具体的には配線モジュール４９における配線基板６９に実装されている。配線基板６９において、ＦＰＣ７９と補強板８９とが基板内接着層５８により接着されている。配線基板６９とベース部３８とがベース接着層５９により接着されている。基板内接着層５８およびベース接着層５９は、たとえば、接着剤または接着テープ等により形成される。
【００８７】
発電素子１９は、素子電極４２Ａと、素子電極４２Ｂとを有し、素子電極４２Ａおよび素子電極４２Ｂから電圧を出力する。
【００８８】
パッケージ１８は、パッケージ電極２０Ａと、パッケージ電極２０Ｂとを有する。パッケージ電極２０Ａおよびパッケージ電極２０Ｂは、パッケージ１８の底部を貫通するように設けられ、当該底部の上側および下側の両方に露出している。
【００８９】
発電素子１９の素子電極４２Ａは、たとえばワイヤーボンディングによりパッケージ電極２０Ａに接続されている。素子電極４２Ｂは、たとえば導電性ペーストによりパッケージ電極２０Ｂに接続されている。
【００９０】
ＦＰＣ７９における開口部６８では、絶縁部７８が導電部７７の上側を覆っていないため、導電部７７の一部、具体的には導電部７７Ａの一部および導電部７７Ｂの一部が露出している。
【００９１】
パッケージ電極２０Ａおよびパッケージ電極２０Ｂは、たとえばハンダ付けにより、導電部７７Ａおよび導電部７７Ｂにそれぞれ接続されている。
【００９２】
パッケージ１８は、ボールレンズ１７を自己の側壁の端部において支持し、ボールレンズ１７の焦点を発電素子１９に固定している。
【００９３】
図８は、本発明の第１の実施の形態に係る配線基板におけるＦＰＣの導電部のパターンを示す図である。
【００９４】
図８を参照して、ＦＰＣ７９の開口部６８において、導電部７７の一部が露出している。詳細には、開口部６８において、導電部７７Ａおよび導電部７７Ｂの一部が露出している。
【００９５】
導電部７７Ａおよび導電部７７Ｂは、たとえば、図７において示したように、発電素子１９の素子電極４２Ａおよび素子電極４２Ｂにそれぞれ接続される。
【００９６】
導電部７７は、たとえば、ランド部６０において実装される発電部３０と、当該ランド部６０に隣接するランド部６０において実装される発電部３０とを直列に接続する。
【００９７】
図９は、本発明の第１の実施の形態に係る配線基板を示す図である。
【００９８】
図９は、配線基板６９の一部、具体的には、配線基板６９における帯状基板３２の一部の平面図および側面図を示している。図９を参照して、発電部３０が実装される配線基板６９は、上述のように、複数のランド部６０と、複数の配線部６３とを含む。
【００９９】
ランド部６０は、自己の上側すなわちフレネルレンズ２６側の主表面に発電部３０が実装される形状を有している。すなわち、ランド部６０は、発電部３０を実装可能な広さを有する。また、ランド部６０は、配線基板６９の延伸方向に沿った長さＬｂ１を有する。
【０１００】
ランド部６０には、発電素子１９を含む発電部３０が実装されている。配線部６３は、発電素子１９と電気的に接続されている。配線部６３は、隣り合うランド部６０すなわち隣り合う発電部３０を電気的に接続している。配線部６３は、配線基板６９の延伸方向に沿った長さＬｂ２を有する。
【０１０１】
配線部６３の長さＬｂ２は、ランド部６０の長さＬｂ１より大きい。つまり、配線基板６９の延伸方向における配線部６３の長さＬｂ２は、当該延伸方向におけるランド部６０の長さＬｂ１より大きい。以下、配線基板６９の延伸方向を基板延伸方向とも称する。
【０１０２】
配線部６３の幅Ｗｂ３は、ランド部６０の幅Ｗｂ０より小さい。ランド部６０の幅Ｗｂ０および配線部６３の幅Ｗｂ３は、それぞれ、基板延伸方向に交差する方向、具体的には、たとえば、基板延伸方向に垂直な方向におけるランド部６０の長さおよび配線部６３の長さである。以下、基板延伸方向と交差する方向すなわちランド部６０の幅方向を基板幅方向とも称する。
【０１０３】
ランド部６０の幅Ｗｂ０は、たとえば、配線部６３の幅Ｗｂ３の２００％以上であり、かつ１０００％以下である。
【０１０４】
ランド部６０の基板延伸方向における長さＬｂ１は、ランド部６０の幅Ｗｂ０より大きい。
【０１０５】
たとえば、ランド部６０は、内側領域（第１領域）６１と、２つの外側領域（第２領域）６２とを有する。各外側領域６２は、内側領域６１の基板延伸方向における両方の端部にそれぞれ接続されている。つまり、各外側領域６２は、ランド部６０の長さ方向の両端にそれぞれ位置し、かつ、内側領域６１と接続されている。すなわち、外側領域６２は、内側領域６１の基板延伸方向における端部と、配線部６３との間に接続されている。
【０１０６】
なお、ランド部６０の有する外側領域６２は１つであってもよい。この場合、外側領域６２は、たとえば内側領域６１の基板延伸方向におけるいずれか一方の端部に接続される。つまり、外側領域６２は、ランド部６０の長さ方向の一端に位置し、かつ、内側領域６１と接続される。
【０１０７】
内側領域６１はランド部６０の幅Ｗｂ０に相当する幅Ｗｂ１を有する。また、外側領域６２は、幅Ｗｂ２を有する。内側領域６１の幅Ｗｂ１および外側領域６２の幅Ｗｂ２は、それぞれ、基板幅方向における内側領域６１の長さおよび外側領域６２の長さである。
【０１０８】
たとえば、外側領域６２の幅Ｗｂ２は、内側領域６１の幅Ｗｂ１より小さい。また、たとえば、外側領域６２の幅Ｗｂ２は、配線部６３の幅Ｗｂ３より大きい。
【０１０９】
また、たとえば、外側領域６２の幅Ｗｂ２は、内側領域６１から配線部６３に近づくに従い連続的に小さくなる。すなわち、外側領域６２の幅Ｗｂ２は、当該外側領域６２が接続された配線部６３に近づくに従い連続的に小さくなる。
【０１１０】
また、外側領域６２は、配線基板６９の延伸方向に沿った長さＬｂ１２を有する。たとえば、外側領域６２の幅Ｗｂ２と、配線部６３の長さＬｂ１２すなわち外側領域６２の基板延伸方向における長さＬｂ１２との関係は、以下の式（１）で表される。
０＜Ｌｂ１２／Ｗｂ２≦１０      ・・・（１）
【０１１１】
また、たとえば、内側領域６１の面積Ｓｂ１は、外側領域６２の面積Ｓｂ２より大きい。具体的には、たとえば、内側領域６１の面積Ｓｂ１は、外側領域６２の面積Ｓｂ２の２００％以上であり、かつ１０００％以下である。
【０１１２】
配線基板６９は、たとえば、上述のように、ＦＰＣ７９および補強板８９を含む。すなわち、ランド部６０および配線部６３の各々は、補強板８９を含む。
【０１１３】
たとえば、配線基板６９の上方からの平面視、詳細には、配線基板６９の上方から発電部３０の実装面への方向の平面視において、ランド部６０は、発電部３０の中央部、具体的には、発電部３０の中心Ｃｅが内側領域６１内に位置するように発電部３０が配置される形状を有する。配線基板６９の上方からの平面視において、発電部３０は、自己の中心Ｃｅが内側領域６１に含まれるように配置されている。
【０１１４】
また、たとえば、配線基板６９の上方からの平面視において、基板延伸方向における発電部３０から配線部６３までの距離ｄｂ１は、基板幅方向における発電部３０からランド部６０の端部までの距離ｄｂ２より大きい。
【０１１５】
また、たとえば、配線基板６９は、発電部３０をハンダ付けするための電極を有している。具体的には、たとえば、当該電極は、図８において示した、開口部６８における導電部７７の露出部であり、内側領域６１に含まれるように設けられている。
【０１１６】
ランド部６０は、発電部３０がランド部６０に実装されたときに発電部３０と接触する実装領域３１を有している。たとえば、実装領域３１の８０％以上が内側領域６１内に位置する。言い換えれば、ランド部６０において発電部３０が実装される領域である実装領域３１のうち、たとえば８０％から１００％が内側領域６１に含まれる。図９に示す例では、実装領域３１の１００％が内側領域６１に含まれている。
【０１１７】
また、たとえば、配線部６３の厚みＴｂ３は、配線部６３の幅Ｗｂ３の１％以上であり、かつ５０％以下である。
【０１１８】
また、補強板８９は、厚みＴｓ０を有する。たとえば、補強板８９の厚みＴｓ０は、配線基板６９の厚みＴｂ０の１０％以上であり、かつ９０％以下である。
【０１１９】
内側領域６１は、縁６５を有する。縁６５は、基板幅方向における内側領域６１の端に位置する。外側領域６２は、縁６６を有する。縁６６は、基板幅方向における外側領域６２の端に位置する。
【０１２０】
縁６５と縁６６とが互いに接続されている。縁６５および縁６６のなす角度αは、たとえば９０度より大きく、かつ１７０度以下である。
【０１２１】
図１０は、本発明の第１の実施の形態に係る配線基板におけるＦＰＣを示す図である。
【０１２２】
図１０を参照して、ＦＰＣ７９は、複数のＦＰＣランド部７０と、複数のＦＰＣ配線部７３とを含む。ＦＰＣランド部７０およびＦＰＣ配線部７３は、図９に示すランド部６０および配線部６３にそれぞれ含まれる。
【０１２３】
ＦＰＣランド部７０には、発電部３０が実装される。ＦＰＣ配線部７３は、ＦＰＣランド部７０同士すなわち発電部３０同士を接続している。
【０１２４】
ＦＰＣランド部７０は、配線基板６９の延伸方向に沿った長さＬｆ１を有する。ＦＰＣ配線部７３は、配線基板６９の延伸方向に沿った長さＬｆ３を有する。ＦＰＣ配線部７３の長さＬｆ３は、ＦＰＣランド部７０の長さＬｆ１より大きい。つまり、ＦＰＣ配線部７３の基板延伸方向における長さＬｆ３は、ＦＰＣランド部７０の基板延伸方向における長さＬｆ１より大きい。
【０１２５】
具体的には、たとえば、ＦＰＣ配線部７３の基板延伸方向における長さＬｆ３は、ＦＰＣランド部７０の基板延伸方向における長さＬｆ１の１００％より大きく、かつ６００％以下である。
【０１２６】
ＦＰＣ配線部７３の幅Ｗｆ３は、ＦＰＣランド部７０の幅Ｗｆ０より小さい。具体的には、たとえば、ＦＰＣ配線部７３の幅Ｗｆ３は、ＦＰＣランド部７０の幅Ｗｆ０の０．１％以上であり、かつ５０％以下である。
【０１２７】
また、たとえば、ＦＰＣランド部７０の面積Ｓｆ１は、ＦＰＣ配線部７３の面積Ｓｆ３の２０％以上であり、かつ１０００％以下である。
【０１２８】
また、たとえば、ＦＰＣランド部７０は、内側領域７１と、２つの外側領域７２とを有する。内側領域７１は、幅Ｗｆ１を有する。外側領域７２は、幅Ｗｆ２を有する。外側領域７２は、ＦＰＣランド部７０の長さ方向の両端に位置し、かつ、内側領域７１と接続されている。
【０１２９】
言い換えれば、各外側領域７２は、たとえば、内側領域７１の基板延伸方向における両方の端部にそれぞれ接続されている。具体的には、外側領域７２は、内側領域７１の基板延伸方向における端部と、ＦＰＣ配線部７３との間に接続されている。
【０１３０】
なお、ＦＰＣランド部７０の有する外側領域７２は１つであってもよい。この場合、外側領域７２は、内側領域７１の基板延伸方向におけるいずれか一方の端部に接続される。つまり、外側領域７２は、ＦＰＣランド部７０の長さ方向の一端に位置し、かつ、内側領域７１と接続される。
【０１３１】
内側領域７１は、ＦＰＣランド部７０の幅Ｗｆ０に相当する幅Ｗｆ１を有する。また、外側領域７２は、幅Ｗｆ２を有する。内側領域７１の幅Ｗｆ１および外側領域７２の幅Ｗｆ２は、それぞれ、基板幅方向における内側領域７１の長さおよび外側領域７２の長さである。
【０１３２】
たとえば、外側領域７２の幅Ｗｆ２は、内側領域７１の幅Ｗｆ１より小さい。また、たとえば、外側領域７２の幅Ｗｆ２は、ＦＰＣ配線部７３の幅Ｗｆ３より大きい。
【０１３３】
また、たとえば、外側領域７２の幅Ｗｆ２は、内側領域７１からＦＰＣ配線部７３に近づくに従い連続的に小さくなる。すなわち、外側領域７２の幅Ｗｆ２は、当該外側領域７２に接続されたＦＰＣ配線部７３に近づくに従い連続的に小さくなる。
【０１３４】
また、たとえば、外側領域７２は、配線基板６９の延伸方向に沿った長さＬｆ１２を有する。外側領域７２の幅Ｗｆ２と、外側領域７２の長さＬｆ１２すなわち外側領域７２の基板延伸方向における長さＬｆ１２との関係は、以下の式（２）で表される。
０＜Ｌｆ１２／Ｗｆ２≦１０・・・（２）
【０１３５】
また、たとえば、配線基板の上方からの平面視において、発電部３０は、自己の中央部、具体的には、自己の中心Ｃｅが内側領域７１に含まれるように配置されている。
【０１３６】
ＦＰＣ７９は、たとえば、発電部３０をハンダ付けするための電極を有する。具体的には、たとえば、当該電極は、図８において示した、開口部６８における導電部７７の露出部であり、内側領域７１に含まれるように設けられている。
【０１３７】
内側領域７１は、縁７５を有する。縁７５は、ＦＰＣランド部７０の幅方向すなわち基板幅方向における内側領域７１の端に位置する。外側領域７２は、縁７６を有する。縁７６は、基板幅方向における外側領域７２の端に位置する。
【０１３８】
縁７５と縁７６とが互いに接続されている。縁７５および縁７６のなす角度βは、たとえば、９０度より大きく、かつ１７０度以下である。
【０１３９】
図１１は、本発明の第１の実施の形態に係る配線基板における補強板を示す図である。
【０１４０】
図１１を参照して、補強板８９は、ランド補強部８０と、配線補強部８３とを有する。ランド補強部８０および配線補強部８３は、図９に示すランド部６０および配線部６３にそれぞれ含まれる。
【０１４１】
ランド補強部８０は、ＦＰＣランド部７０に接着されている。配線補強部８３は、ＦＰＣ配線部７３に接着されている。配線補強部８３の幅Ｗｓ３は、ランド補強部８０の幅Ｗｓ０より小さい。
【０１４２】
図１２は、本発明の第１の実施の形態に係る配線基板における配線モジュールを示す図である。
【０１４３】
図１２は、配線基板６９がベース接着層５９によりベース部３８に接着された状態の平面図および側面図、すなわち配線モジュール４９の平面図および側面図を示している。
【０１４４】
図１２を参照して、ベース接着層５９は、配線基板６９のランド部６０をベース部３８に接着するランド接着領域５０と、配線基板６９の配線部６３をベース部３８に接着する配線接着領域５３とを含む。
【０１４５】
具体的には、ランド接着領域５０は、ランド部６０におけるランド補強部８０をベース部３８に接着している。配線接着領域５３は、配線部６３における配線補強部８３をベース部３８に接着している。
【０１４６】
配線接着領域５３の幅Ｗａ３は、ランド接着領域５０の幅Ｗａ０より小さい。具体的には、たとえば、配線接着領域５３の幅Ｗａ３は、ランド接着領域５０の幅Ｗａ０の０．１％以上であり、かつ５０％以下である。
【０１４７】
なお、ランド接着領域５０の幅Ｗａ０は、ランド部６０の幅Ｗｂ０より小さくてもよいし、同じであってもよい。また、配線接着領域５３の幅Ｗａ３は、配線部６３の幅Ｗｂ３より小さくてもよいし、同じであってもよい。
【０１４８】
また、ランド接着領域５０は、基板延伸方向に沿った長さＬａ１を有する。配線接着領域５３は、配線基板６９の延伸方向に沿った長さＬａ３を有する。ランド接着領域５０の長さＬａ１は、配線接着領域５３の長さＬａ３より小さい。言い換えれば、ランド接着領域５０の基板延伸方向における長さＬａ１は、配線接着領域５３の基板延伸方向における長さＬａ３より小さい。
【０１４９】
また、たとえば、ランド接着領域５０の幅Ｗａ０は、ランド接着領域５０の基板延伸方向における長さＬａ１より小さい。
【０１５０】
また、たとえば、ランド接着領域５０の面積Ｓａ０は、配線接着領域５３の面積Ｓａ３の２０％以上であり、かつ１０００％以下である。
【０１５１】
また、たとえば、ベース接着層５９の厚みＴａ０は、ランド接着領域５０の幅Ｗａ０の０．２５％以上であり、かつ５％以下である。また、ベース接着層５９の厚みＴａ０は、配線接着領域５３の幅Ｗａ３の０．５％以上であり、かつ２０％以下である。
【０１５２】
ランド接着領域５０は、たとえば、内側領域５１と、２つの外側領域５２とを有する。各外側領域５２は、ランド接着領域５０の長さ方向の両端にそれぞれ位置し、かつ、内側領域５１と接続されている。言い換えれば、各外側領域５２は、内側領域５１の基板延伸方向における両方の端部にそれぞれ接続されている。具体的には、外側領域５２は、内側領域５１の基板延伸方向における端部と、配線接着領域５３との間に接続されている。
【０１５３】
なお、ランド接着領域５０は、２つの外側領域５２ではなく、１つの外側領域５２を有する構成であってもよい。この場合、外側領域５２は、ランド接着領域５０の長さ方向の一端に位置し、かつ、内側領域５１と接続される。
【０１５４】
内側領域５１は、幅Ｗａ０に相当する幅Ｗａ１を有する。また、外側領域５２は、幅Ｗａ２を有する。内側領域５１の幅Ｗａ１および外側領域５２の幅Ｗｂ２は、それぞれ、基板幅方向における内側領域５１の長さおよび外側領域５２の長さである。
【０１５５】
たとえば、外側領域５２の幅Ｗａ２は、内側領域５１の幅Ｗａ１より小さい。また、たとえば、外側領域５２の幅Ｗａ２は、配線接着領域５３の幅Ｗａ３より大きい。たとえば、
外側領域５２の幅Ｗａ２は、内側領域５１から配線接着領域５３に近づくに従い連続的に小さくなる。すなわち、外側領域５２の幅Ｗａ２は、当該外側領域５２と接続された配線接着領域５３に近づくに従い連続的に小さくなる。
【０１５６】
また、外側領域５２は、配線部５３の延伸方向に沿った長さＬａ１２を有する。たとえば、外側領域５２の幅Ｗａ２と外側領域５２の長さＬａ１２との関係は、以下の式（３）
で表される。
０＜Ｌａ１２／Ｗａ２≦１０・・・（３）
【０１５７】
また、たとえば、内側領域５１の面積Ｓａ１は、外側領域５２の面積Ｓａ２の２００％以上であり、かつ１０００％以下である。
【０１５８】
また、配線基板６９の上方からの平面視において、発電素子１９は、自己の中央部、具体的には、自己の中心Ｃｃが内側領域５１に含まれるように配置されている。
【０１５９】
また、たとえば、配線基板６９の上方からの平面視において、基板延伸方向における発電素子１９から配線接着領域５３までの距離ｄａ１は、ランド接着領域５０の幅方向すなわち基板幅方向おける発電素子１９からランド接着領域５０の端部までの距離ｄａ２より大きい。
【０１６０】
具体的には、たとえば、配線基板６９の上方からの平面視において、基板延伸方向における発電素子１９から配線接着領域５３までの距離ｄａ１は、たとえば、基板幅方向における発電素子１９からランド接着領域５０の端部までの距離ｄａ２の２００％以上であり、かつ２０００％以下である。
【０１６１】
［変形例］
図１３〜図１６は、本発明の第１の実施の形態に係る配線基板の変形例を示す図である。
【０１６２】
図１３を参照して、ランド部６０の形状は、図９に示すランド部６０の形状と異なっている。具体的には、ランド部６０において、内側領域６１の端に位置する縁６５と外側領域６２の端に位置する縁６６との接続部６４は曲線を形成している。より具体的には、ランド部６０は、丸みを帯びた六角形状である。
【０１６３】
なお、縁６５と縁６６との接続部６４は、連続的な曲線、つまり、より滑らかな曲線を形成してもよい。具体的には、たとえば、縁６５と縁６６とが円弧を形成してもよい。
【０１６４】
図１４を参照して、ランド部６０の形状は、図９に示すランド部６０の形状と異なっている。具体的には、ランド部６０は楕円形状である。
【０１６５】
図１５および図１６を参照して、ランド部６０は長方形状である。図１６では、ランド部６０の基板幅方向の端に位置する縁１６０と、配線部６３の基板幅方向の端に位置する縁１６３とが直線を形成している。
【０１６６】
図１７〜図２０は、本発明の第１の実施の形態に係る配線基板におけるＦＰＣの変形例を示す図である。
【０１６７】
図１７を参照して、ＦＰＣランド部７０の形状は、図１０に示すＦＰＣランド部７０の形状と異なっている。具体的には、ＦＰＣランド部７０において、内側領域７１の端に位置する縁７５と外側領域６２の端に位置する縁７６との接続部７４は曲線を形成している。より具体的には、ＦＰＣランド部７０は、丸みを帯びた六角形状である。
【０１６８】
なお、縁７５と縁７６との接続部７４は、連続的な曲線、つまり、より滑らかな曲線を形成してもよい。具体的には、たとえば、縁６５と縁６６とが円弧を形成してもよい。
【０１６９】
図１８を参照して、ＦＰＣランド部７０の形状は、図１０に示すＦＰＣランド部７０の形状と異なっている。具体的には、ＦＰＣランド部７０は楕円形状である。
【０１７０】
図１９および図２０を参照して、ＦＰＣランド部７０は、長方形状である。図２０では、ＦＰＣランド部７０の基板幅方向の端に位置する縁１７０と、ＦＰＣ配線部７３の基板幅方向の端に位置する縁１７３とが直線を形成している。
【０１７１】
なお、本発明の第１の実施の形態に係る配線基板６９では、ＦＰＣ７９と補強板８９とが基板内接着層５８によって固定される構成であるとしたが、これに限定するものではない。たとえば、ＦＰＣ７９と補強板８９とは、ネジ止めにより固定される構成であってもよい。
【０１７２】
また、本発明の第１の実施の形態に係る配線モジュール４９では、配線基板６９は、ベース接着層５９によってベース部３８に固定される構成であるとしたが、これに限定するものではない。たとえば、配線基板６９は、ネジ止めによりベース部３８に固定される構成であってもよい。
【０１７３】
ところで、特許文献１に記載の集光型太陽電池モジュールにおいて、太陽光がレンズによって太陽電池素子に収束されると、太陽電池素子は高温となる。太陽電池素子の熱は、当該太陽電池素子の実装されたレシーバ基板へ伝わるため、レシーバ基板が熱膨張する場合がある。また、レシーバ基板は、温度の上昇によって硬度が低下するため、変形しやすくなる。
【０１７４】
そして、レシーバ基板が熱膨張により変形すると、太陽電池素子の位置がレンズの焦点から外れることにより、当該太陽電池素子の発電効率が低下してしまうことがある。
【０１７５】
これに対して、本発明の第１の実施の形態に係る配線基板６９では、配線部６３の幅Ｗｂ３は、ランド部６０の幅Ｗｂ０より小さい。
【０１７６】
このような構成により、ランド部６０より配線部６３の方が曲がりやすくなるため、配線基板６９が熱膨張した場合に、配線部６３が配線基板６９のたとえば延伸方向における膨張分を吸収するように曲がることで、ランド部６０の変形および位置ずれを防ぐことができる。これにより、たとえば、ランド部６０に発電部３０が実装され、かつ発電部３０の上方に当該発電部３０を焦点とするフレネルレンズ２６が設けられている場合において、発電部３０の位置がフレネルレンズ２６の焦点から外れることを防ぐことができる。
【０１７７】
また、本発明の第１の実施の形態に係る配線基板では、ランド部６０は、ランド部６０上に発電部３０が実装される形状を有し、かつ、配線基板６９の延伸方向に沿った長さＬｂ１を有する。配線部６３は、配線基板６９の延伸方向に沿った長さＬｂ２を有する。配線部６３の長さＬｂ２は、ランド部６０の長さＬｂ１より大きい。
【０１７８】
このような構成により、ランド部より配線部の方がより曲がりやすくなるため、ランド部の変形および位置ずれをより確実に防ぐことができる。
【０１７９】
したがって、本発明の第１の実施の形態に係る配線基板では、熱の影響による発電効率の低下を抑制することができる。
【０１８０】
また、本発明の第１の実施の形態に係る配線基板では、ランド部６０および配線部６３の各々は、金属で形成された補強板と、補強板上に設けられたフレキシブルプリント基板とを含む。
【０１８１】
このような構成により、配線基板６９に柔軟性を持たせつつ、ある程度の硬さを与えることができる。これにより、たとえば、ランド部６０より配線部６３の方が曲がりやすい性質を維持しながら、配線基板６９を用いた発電装置の製造工程における当該配線基板６９の取り扱いを容易にすることができる。
【０１８２】
また、本発明の第１の実施の形態に係る配線基板では、ランド部６０の幅Ｗｂ０は、配線部６３の幅Ｗｂ３の２００％以上であり、かつ１０００％以下である。
【０１８３】
このような構成により、たとえば、ランド部６０の幅Ｗｂ０を基準として配線部６３の幅Ｗｂ３を小さくすることができるため、配線部６３にランド部６０より曲がりやすい性質を持たせることができる。また、配線部６３の強度が問題とならないように、配線部６３の幅Ｗｂ３をある程度大きくすることができる。
【０１８４】
また、本発明の第１の実施の形態に係る配線基板では、ランド部６０は、内側領域６１と、外側領域６２とを有する。内側領域６１は、幅Ｗｂ１（第１の幅）を有する。外側領域６２は、ランド部６０の長さ方向の少なくとも一端に位置し、かつ、内側領域６１と接続されており、かつ、幅Ｗｂ２（第２の幅）を有する。外側領域６２の幅Ｗｂ２は、内側領域６１の幅Ｗｂ１より小さく、かつ、配線部６３の幅Ｗｂ３より大きい。
【０１８５】
このような構成により、たとえば、発電部３０から内側領域６１に伝わった熱を外側領域６２経由で配線部６３へ効率的に逃がすことができる。
【０１８６】
また、本発明の第１の実施の形態に係る配線基板では、ランド部６０は、内側領域６１と、外側領域６２とを有する。内側領域６１は、幅Ｗｂ１を有する。外側領域６２は、ランド部６０の長さ方向の両端に位置し、かつ、内側領域６１と接続されており、かつ、幅Ｗｂ２（第２の幅）を有する。外側領域６２の幅Ｗｂ２は、内側領域６１の幅Ｗｂ１より小さく、かつ、配線部６３の幅Ｗｂ３より大きい。
【０１８７】
このような構成により、内側領域６１の熱を各外側領域６２に接続された両方の配線部６３へ逃がすことができる。
【０１８８】
また、本発明の第１の実施の形態に係る配線基板では、外側領域６２の幅Ｗｂ２は、内側領域６１から配線部６３に近づくに従い小さくなる。
【０１８９】
このような構成により、外側領域６２の熱を配線部６３へ効率的に逃がすことができる。
【０１９０】
また、本発明の第１の実施の形態に係る配線基板では、外側領域６２は、配線基板６９の延伸方向に沿った長さＬｂ１２を有する。外側領域６２の幅Ｗｂ２と外側領域６２の長さＬｂ１２との関係が以下の式を満たす。
０＜ＬＢ１２／Ｗｂ２≦１０
【０１９１】
このような構成により、外側領域６２の熱を配線部６３へより効率的に逃がすことができる。
【０１９２】
また、本発明の第１の実施の形態に係る配線基板では、内側領域６１の面積Ｓｂ１は、外側領域６２の面積ＳＢ２より大きい。
【０１９３】
このような構成により、内側領域６１の熱に対する外側領域６２経由での配線部６３への放熱性能を高めることができる。
【０１９４】
また、本発明の第１の実施の形態に係る配線基板では、内側領域６１の面積Ｓｂ１は、外側領域６２の面積Ｓｂ２の２００％以上であり、かつ１０００％以下である。
【０１９５】
このような構成により、内側領域６１の熱に対する外側領域６２経由での配線部６３への放熱性能をさらに高めることができる。
【０１９６】
また、本発明の第１の実施の形態に係る配線基板では、配線基板６９の上方からの平面視において、前記ランド部６０は、発電部３０の中央部、具体的には、発電部３０の中心Ｃｅが内側領域６１内に位置するように配置される形状を有する。
【０１９７】
このような構成により、配線部６３からある程度離れた位置に発電部３０を配置することができるため、配線部６３が曲がったことによる影響で発電部３０の位置がずれることをより確実に防ぐことができる。
【０１９８】
また、本発明の第１の実施の形態に係る配線基板では、実装領域３１は、発電部３０がランド部６０に実装されたときに発電部３０と接触する。実装領域３１の８０％以上が内側領域６１内に位置する。
【０１９９】
このような構成により、配線部６３が曲がったことによる影響で発電部３０の位置がずれることをさらに高い確度で防ぐことができる。
【０２００】
また、本発明の第１の実施の形態に係る配線基板では、配線基板６９の上方からの平面視において、上記延伸方向における発電部３０から配線部６３までの距離ｄｂ１は、ランド部６０の幅方向における発電部３０からランド部６０の端部までの距離ｄｂ２より大きい。
【０２０１】
このような構成により、たとえば、発電部３０からランド部６０へ伝わった熱に対する配線部６３への放熱性能を高めることができる。
【０２０２】
また、本発明の第１の実施の形態に係る配線基板では、ランド部６０の上記延伸方向における長さＬｂ１は、ランド部６０の幅Ｗｂ０より大きい。
【０２０３】
このような構成により、たとえば、発電部３０からランド部６０へ伝わった熱に対する配線部６３への放熱性能を高めることができる。
【０２０４】
また、本発明の第１の実施の形態に係る配線基板では、配線部６３の厚みＴｂ３は、配線部６３の幅Ｗｂ３の１％以上であり、かつ５０％以下である。
【０２０５】
このように、配線部６３の幅より配線部６３の厚みを十分小さくすることにより、配線基板６９が載置された物体に配線部６３の熱を効率的に逃がすことができる。
【０２０６】
また、本発明の第１の実施の形態に係る配線基板では、ランド部６０および配線部６３の補強板８９の厚みＴｓ０は、配線基板６９の厚みＴｂ０の１０％以上であり、かつ９０％以下である。
【０２０７】
このような構成により、ランド部６０より配線部６３の方が曲がりやすい性質を損なわない範囲において、適度な硬さを配線基板６９に与えることができる。
【０２０８】
次に、本発明の他の実施の形態について図面を用いて説明する。なお、図中同一または相当部分には同一符号を付してその説明は繰り返さない。
【０２０９】
＜第２の実施の形態＞
本実施の形態は、第１の実施の形態に係る配線基板と比べて、ＦＰＣを含まない配線基板に関する。以下で説明する内容以外は、第１の実施の形態に係る太陽光発電装置と同様である。
【０２１０】
本実施の形態では、太陽光発電モジュール１０は、第１の実施の形態に係る太陽光発電モジュール１０における配線基板６９の代わりに、配線基板２６９を含む。詳細には、配線基板２６９は、ＦＰＣ７９の代わりに他の種類の基板を含み、補強板８９を含まない。配線基板２６９は、以下で説明する内容以外は、配線基板６９と同様である。
【０２１１】
図２１は、本発明の第２の実施の形態に係る配線基板に発電部が実装された状態を示す斜視図である。
【０２１２】
図２１を参照して、配線基板２６９は、導電部２７７と、導電部２７７を覆う絶縁部２７８と含む。配線基板２６９のランド部２６０には、発電部３０が実装されている。詳細には、ランド部２６０には、開口部２６８が設けられている。開口部２６８では、導電部２７７の上側を絶縁部２７８が覆っていないため、導電部２７７が露出している。発電部３０は、開口部２６８において導電部２７７に電気的に接続されている。
【０２１３】
導電部２７７は、たとえば、ランド部２６０において実装される発電部３０と、当該ランド部２６０に隣接するランド部２６０において実装される発電部３０とを直列に接続する。
【０２１４】
図２２は、本発明の第２の実施の形態に係る太陽光発電モジュールの、図４におけるＶＩ−ＶＩ線に相当する線に沿う断面を示す断面図である。
【０２１５】
図２２を参照して、配線基板２６９は、ベース部３８の上側の主表面に載置されている。発電素子１９は、パッケージ１８に収納されている。発電素子１９は、パッケージ１８に収納された状態で配線基板２６９に実装されている。詳細には、図示しない発電素子１９の電極が、パッケージ１８の底部を貫通するように設けられたパッケージ電極２０を介して、配線基板２６９の導電部２７７と接続されている。
【０２１６】
図２３は、本発明の第２の実施の形態に係る太陽光発電モジュールにおける配線モジュールおよび発電部の、図４におけるＶＩＩ−ＶＩＩ線に相当する線に沿う断面を示す断面図である。
【０２１７】
図２３では、たとえば図２２において示さなかった接着層についても示している。具体的には、図２３を参照して、発電部３０が配線モジュール４９、具体的には配線モジュール４９における配線基板２６９に実装されている。配線基板２６９とベース部３８とがベース接着層５９により接着されている。
【０２１８】
配線基板２６９における開口部２６８では、絶縁部２７８が導電部２７７の上側を覆っていないため、導電部２７７の一部、具体的には導電部２７７Ａの一部および導電部２７７Ｂの一部が露出している。
【０２１９】
パッケージ電極２０Ａおよびパッケージ電極２０Ｂは、たとえばハンダ付けにより、導電部２７７Ａおよび導電部２７７Ｂにそれぞれ接続されている。
【０２２０】
パッケージ１８は、ボールレンズ１７を自己の側壁の端部において支持し、ボールレンズ１７の焦点を発電素子１９に固定している。
【０２２１】
図２４は、本発明の第２の実施の形態に係る配線基板を示す図である。
【０２２２】
図２４は、配線基板２６９の一部の平面図および側面図を示している。図２４を参照して、配線基板２６９は、複数のランド部２６０と、複数の配線部２６３とを含む。
【０２２３】
ランド部２６０には、発電素子１９を含む発電部３０が実装されている。配線部２６３は、発電素子１９と電気的に接続されている。配線部２６３は、隣り合うランド部２６０すなわち隣り合う発電部３０を電気的に接続している。
【０２２４】
配線基板２６９の延伸方向における配線部２６３の長さＬｒ２は、当該延伸方向におけるランド部２６０の長さＬｒ１より大きい。以下、配線基板２６９の延伸方向を基板延伸方向とも称する。
【０２２５】
配線部２６３の幅Ｗｒ３は、ランド部２６０の幅Ｗｒ０より小さい。ランド部２６０の幅Ｗｒ０および配線部２６３の幅Ｗｒ３は、それぞれ、基板延伸方向に交差する方向、具体的には、たとえば、基板延伸方向に垂直な方向におけるランド部２６０の長さおよび配線部２６３の長さである。以下、基板延伸方向と交差する方向すなわちランド部２６０の幅方向を基板幅方向とも称する。
【０２２６】
ランド部２６０の幅Ｗｒ０は、たとえば、配線部２６３の幅Ｗｒ３の２００％以上であり、かつ１０００％以下である。
【０２２７】
ランド部２６０の基板延伸方向における長さＬｒ１は、ランド部２６０の幅Ｗｒ０より大きい。
【０２２８】
たとえば、ランド部２６０は、内側領域２６１と、２つの外側領域２６２とを有する。各外側領域２６２は、内側領域２６１の基板延伸方向における両方の端部にそれぞれ接続されている。具体的には、外側領域２６２は、内側領域２６１の基板延伸方向における端部と、配線部２６３との間に接続されている。
【０２２９】
なお、ランド部２６０の有する外側領域２６２は１つであってもよい。この場合、外側領域２６２は、たとえば内側領域２６１の基板延伸方向におけるいずれか一方の端部に接続される。
【０２３０】
内側領域２６１は幅Ｗｒ０に相当する幅Ｗｒ１を有する。また、外側領域２６２は、幅Ｗｒ２を有する。内側領域２６１の幅Ｗｒ１および外側領域２６２の幅Ｗｒ２は、それぞれ、基板幅方向における内側領域２６１の長さおよび外側領域２６２の長さである。
【０２３１】
たとえば、外側領域２６２の幅Ｗｒ２は、内側領域２６１の幅Ｗｒ１より小さい。また、たとえば、外側領域２６２の幅Ｗｒ２は、配線部２６３の幅Ｗｒ３より大きい。
【０２３２】
また、たとえば、外側領域２６２の幅Ｗｒ２は、対応の外側領域２６２が接続された配線部２６３に近づくに従い連続的に小さくなる。
【０２３３】
また、たとえば、外側領域２６２の幅Ｗｒ２と外側領域２６２の基板幅方向における長さＬｒ１２との関係は、以下の式（４）で表される。
０＜Ｌｒ１２／Ｗｒ２≦１０      ・・・（４）
【０２３４】
また、たとえば、内側領域２６１の面積Ｓｒ１は、外側領域２６２の面積Ｓｒ２より大きい。具体的には、たとえば、内側領域２６１の面積Ｓｒ１は、外側領域２６２の面積Ｓｒ２の２００％以上であり、かつ１０００％以下である。
【０２３５】
たとえば、配線基板２６９の上方からの平面視、詳細には、配線基板２６９の上方から発電部３０の実装面への方向の平面視において、発電部３０は、自己の中央部、具体的には、自己の中心Ｃｅが内側領域２６１に含まれるように配置されている。
【０２３６】
また、たとえば、配線基板２６９の上方からの平面視において、基板延伸方向における発電部３０から配線部２６３までの距離ｄｒ１は、基板幅方向における発電部３０からランド部２６０の端部までの距離ｄｒ２より大きい。
【０２３７】
また、たとえば、配線基板２６９は、発電部３０をハンダ付けするための電極を有している。具体的には、たとえば、当該電極は、開口部２６８における導電部２７７の露出部であり、内側領域２６１に含まれるように設けられている。
【０２３８】
ランド部２６０において発電部３０が実装される領域である実装領域３１のうち、たとえば８０％以上が内側領域２６１に含まれる。図２４に示す例では、実装領域３１の１００％が内側領域２６１に含まれている。
【０２３９】
また、たとえば、配線部２６３の厚みＴｒ３は、配線部２６３の幅Ｗｒ３の１％以上であり、かつ５０％以下である。
【０２４０】
内側領域２６１は、縁２６５を有する。縁２６５は、基板幅方向における内側領域２６１の端に位置する。外側領域２６２は、縁２６６を有する。縁２６６は、基板幅方向における外側領域２６２の端に位置する。
【０２４１】
縁２６５と縁２６６とが互いに接続されている。縁２６５および縁２６６のなす角度αは、たとえば９０度より大きく、かつ１７０度以下である。
【０２４２】
その他の構成および動作は第１の実施の形態に係る太陽光発電装置と同様であるため、ここでは詳細な説明を繰り返さない。
【０２４３】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０２４４】
以上の説明は、以下に付記する特徴を含む。
【０２４５】
［付記１］
配線基板であって、
発電素子を含む発電部が実装されるランド部と、
前記配線基板の延伸方向における長さが前記ランド部の前記延伸方向における長さより大きい配線部とを備え、
前記配線部の幅は、前記ランド部の幅より小さく、
前記配線部は、前記配線基板の延伸方向における前記ランド部の端に接続されており、
前記配線基板は、太陽光発電装置において用いられ、
前記太陽光発電装置において、レンズによって収束された太陽光が前記発電素子へ照射される、配線基板。
【符号の説明】
【０２４６】
１０  太陽光発電モジュール
１２  太陽光発電パネル
１３  太陽方向センサ
１４  フレーム部
１７  ボールレンズ
１８  パッケージ
１９  発電素子
２０，２０Ａ，２０Ｂ  パッケージ電極
２５  集光部
２６  フレネルレンズ
２７  壁部
２９  発電モジュール
３０，３０Ｐ１，３０Ｐ２，３０Ｑ１，３０Ｑ２，３０Ｒ１，３０Ｒ２  発電部
３１  実装領域
３２，３２Ａ，３２Ｂ，３２Ｃ，３２Ｄ，３２Ｅ，３２Ｆ，３２Ｇ，３２Ｈ，３２Ｉ，３２Ｊ  帯状基板
３３，３３Ｈ，３３Ｉ，３３Ｊ，３３Ｋ，３３Ｌ，３３Ｍ，３３Ｎ，３３Ｏ，３３Ｐ  連結部
３８  ベース部
３９  リード線
４０  架台
４２Ａ，４２Ｂ  素子電極
４６  土台
４８  支柱
４９  配線モジュール
５０  ランド接着領域
５１，６１，７１，２６１  内側領域
５２，６２，７２，２６２  外側領域
５３  配線接着領域
５８  基板内接着層
５９  ベース接着層
６０，２６０  ランド部
６３，２６３  配線部
６４，７４  接続部
６５，６６，７５，７６，１６０，１６３，１７０，１７３，２６５，２６６  縁
６８，２６８  開口部
６９，２６９  配線基板
７０  ＦＰＣランド部
７３  ＦＰＣ配線部
７７，７７Ａ，７７Ｂ，２７７，２７７Ａ，２７７Ｂ  導電部
７８，２７８  絶縁部
７９  ＦＰＣ
８０  ランド補強部
８３  配線補強部
８９  補強板
９０  機能部
１０１  太陽光発電装置
Ｃｃ，Ｃｅ  中心
ＦＬ  受光面
【図１】
0006551408.tif 000002
【図２】
0006551408.tif 000003
【図３】
0006551408.tif 000004
【図４】
0006551408.tif 000005
【図５】
0006551408.tif 000006
【図６】
0006551408.tif 000007
【図７】
0006551408.tif 000008
【図８】
0006551408.tif 000009
【図９】
0006551408.tif 000010
【図１０】
0006551408.tif 000011
【図１１】
0006551408.tif 000012
【図１２】
0006551408.tif 000013
【図１３】
0006551408.tif 000014
【図１４】
0006551408.tif 000015
【図１５】
0006551408.tif 000016
【図１６】
0006551408.tif 000017
【図１７】
0006551408.tif 000018
【図１８】
0006551408.tif 000019
【図１９】
0006551408.tif 000020
【図２０】
0006551408.tif 000021
【図２１】
0006551408.tif 000022
【図２２】
0006551408.tif 000023
【図２３】
0006551408.tif 000024
【図２４】
0006551408.tif 000025